(57)【要約】【課題】バイブレータを音楽に合わせて種々変化に富んだ態様で駆動することができるバイブレータ駆動回路を提供する。【解決手段】シーケンサ１１は、楽音データに基づいて音源駆動データを生成し音源１２へ出力すると共に、楽音データに挿入されたバイブレータ駆動データを抽出して振動パターン生成回路１３へ出力する。振動パターン生成回路１３は、シーケンサ１１から出力されたバイブレータ駆動データに対応する駆動信号Ａ、Ｂ、Ｃ、Ｇを生成してＦＥＴ１５〜１８へ出力する。この駆動信号により、ＦＥＴ１５〜１８がオン／オフ制御される。ＦＥＴ１５〜１８のオン／オフに応じてトランジスタ２０の電流が変化し、これにより、バイブレータ２１の回転速度が種々変化する。【選択図】    図１
2004267936.tif 000002
【特許請求の範囲】
【請求項１】
楽音データに基づいて音源駆動データを生成し音源へ出力すると共に、前記楽音データに挿入されたバイブレータ駆動データを出力するシーケンサと、
前記シーケンサから出力されたバイブレータ駆動データに対応する駆動信号を生成して出力する駆動信号生成手段と、
前記駆動信号生成手段の出力に基づいてバイブレータの電流を制御する電流制御回路と、
を具備することを特徴とするバイブレータ駆動回路。
【請求項２】
前記電流制御回路は、前記駆動信号生成手段の出力信号によってオン／オフ制御される複数のトランジスタと、これら複数のトランジスタによってコレクタ電流が制御される駆動トランジスタとから構成され、前記駆動トランジスタによって前記バイブレータの電流が制御されることを特徴とする請求項１に記載のバイブレータ駆動回路。
【請求項３】
請求項１または請求項２に記載のバイブレータ駆動回路を具備し、着信音を発生するための楽音データに挿入された前記バイブレータ駆動データによって着信用バイブレータが駆動されることを特徴とする携帯端末装置。
【発明の詳細な説明】
【０００１】
【発明の属する技術分野】
この発明は、携帯電話機等のバイブレータの駆動に用いて好適なバイブレータ駆動回路に関する。
【０００２】
【従来の技術】
周知のように、携帯電話機においては、電話の着信をリンギング音や着信メロディ等の音によって報知する他に、振動で報知するために着信時にバイブレータを駆動するように設定できるようになっている。このバイブレータは、一般的にＤＣモータのロータの回転軸にウエイトを偏心して取り付け、これを回転駆動することにより振動を発生させている。
【０００３】
また、このバイブレータを有する携帯電話機では、着信メロディ等の音に同期させてバイブレータをオン／オフ駆動し、音と振動の両方で着信を報知することができるようになっている。しかしながら、従来の携帯電話機においては、バイブレータの駆動を、単に、着信メロディの楽曲データ中にモータオン／オフを指示するデータを挿入し、そのデータに基づいてオン／オフ制御するだけであり、このため、振動パターンが単純で面白みに欠ける欠点があった。
【０００４】
他方、特許文献１には、着信メロディの低域成分をローパスフィルタによって抽出し、この抽出した低域成分を検波、整流してバイブレータを駆動するという技術が記載されている。しかしながら、この特許文献１の技術もバイブレータを単に着信メロディに合わせてオン／オフ駆動するだけであり、未だ、変化に乏しい欠点があった。
【０００５】
【特許文献１】
特開２００１−１２１０７９号公報
【０００６】
【発明が解決しようとする課題】
本発明は上記事情を考慮してなされたもので、その目的は、バイブレータを音楽に合わせて種々変化に富んだ態様で駆動することができるバイブレータ駆動回路を提供することにある。
【０００７】
【課題を解決するための手段】
この発明は上記の課題を解決するためになされたもので、請求項１に記載の発明は、楽音データに基づいて音源駆動データを生成し音源へ出力すると共に、前記楽音データに挿入されたバイブレータ駆動データを出力するシーケンサと、
前記シーケンサから出力されたバイブレータ駆動データに対応する駆動信号を生成して出力する駆動信号生成手段と、前記駆動信号生成手段の出力に基づいてバイブレータの電流を制御する電流制御回路とを具備することを特徴とするバイブレータ駆動回路である。
【０００８】
請求項２に記載の発明は、請求項１に記載のバイブレータ駆動回路において、前記電流制御回路は、前記駆動信号生成手段の出力信号によってオン／オフ制御される複数のトランジスタと、これら複数のトランジスタによってコレクタ電流が制御される駆動トランジスタとから構成され、前記駆動トランジスタによって前記バイブレータの電流が制御されることを特徴とする。
請求項３に記載の発明は、請求項１または請求項２に記載のバイブレータ駆動回路を具備し、着信音を発生するための楽音データに挿入された前記バイブレータ駆動データによって着信用バイブレータが駆動されることを特徴とする携帯端末装置である。
【０００９】
【発明の実施の形態】
以下、図面を参照し、この発明の実施の形態について説明する。図１はこの発明の実施の形態によるバイブレータ駆動回路を適用した携帯電話機の構成を示すブロック図である。この図において、１はＣＰＵ（中央処理装置）、２はＣＰＵ１のプログラムが記憶されたＲＯＭ（リードオンリメモリ）である。ＲＯＭ２に記憶されたプログラムに基づき、ＣＰＵ１は本発明の実施の形態の構成の各部を制御する。３はデータ一時記憶用の揮発性ＲＡＭ（ランダムアクセスメモリ）である。４はテンキー、ファンクションキー等からなる操作部、５は液晶表示器である。６は通信部であり、アンテナ７を介して受信された変調音声信号を復調して音声処理部８へ出力し、また、音声処理部８から供給される符号化された音声信号を変調しアンテナ７から送信する。また、アンテナ７を介して受信した発信元の電話番号やその他のデータをバスラインＢを介してＣＰＵ１へ出力する。音声処理部８は、通信部６から出力される音声信号を復号してイヤスピーカ９へ出力し、また、マイクロフォン１０からの音声信号を符号化し、通信部６へ出力する。
【００１０】
１１はシーケンサであり、ＣＰＵ１の指示に基づき図示せぬ着信メロディの楽音データを記憶するメモリからバスラインＢを介して供給される着信メロディの楽音データを受け、メモリＲＡＭ３に一旦記憶し、次いで記憶した楽音データを解読して音源駆動データを形成し、音源１２へ出力する。またこのシーケンサ１１は、上記楽音データ中に挿入されたバイブレータ駆動データを抽出し、抽出したデータを駆動パターン生成回路１３へ出力する。音源１２は、シーケンサ１１から出力された音源駆動データに基づいて楽音信号を形成し、スピーカ１４へ出力する。これにより、スピーカ１４において着信メロディが発生する。
【００１１】
振動パターン生成回路１３は、シーケンサ１１から出力されるバイブレータ駆動データに基づいてＦＥＴ（電界効果トランジスタ）１５〜１８を駆動する駆動信号Ａ、Ｂ、Ｃ、Ｇを出力する。なお、詳細は後述する。ＦＥＴ１５〜１８はトランジスタ２０のベース電流を制御するＮチャネルＦＥＴであり、ＦＥＴ１８のゲートへ駆動信号Ｇが入力され、ＦＥＴ１８のソースが接地され、ドレインがＦＥＴ１５〜１７の各ソースに接続されている。ＦＥＴ１５〜１７の各ゲートへは駆動信号Ａ〜Ｃが各々入力され、各ドレインが共通接続されてトランジスタ２０のベースに接続されている。トランジスタ２０はバイブレータ２１を駆動するトランジスタであり、そのエミッタが電源電圧に接続され、コレクタがバイブレータ２１の一端にに接続され、バイブレータ２１の他端が接地されている。
【００１２】
次に、上述した実施形態の動作を説明する。
通信部６が着信を検出すると、ＣＰＵ１へ発信元電話番号等と共に着信通知を出力する。ＣＰＵ１はその通知を受け、シーケンサ１１へ着信メロディ発生指示を出力する。シーケンサ１１はその指示を受け、メモリＲＡＭ３に設定されている楽音データを順次読み出し、音源駆動データに変換し、音源１２へ出力する。これにより、スピーカ１４から着信メロディが発生する。
【００１３】
また、シーケンサ１１は、楽音データ中に挿入されているバイブレータ駆動データを抽出し、振動パターン生成回路１３へ出力する。図２が楽音データの一例を示す図であり、この図に示すように、楽音データには予め３種類のバイブレータ駆動データＳＬＯＷ、ＭＩＤ、ＦＡＳＴ、ＯＦＦが適宜箇所に挿入されている。シーケンサ１１は、これらのバイブレータ駆動データを抽出して振動パターン生成回路１３へ出力する。
【００１４】
振動パターン生成回路１３は、各バイブレータ駆動データを受けて次のような駆動信号Ａ、Ｂ、Ｃ、Ｇを出力する。
2004267936.tif 000003
ここで、「Ｈ」はハイレベル、「Ｌ」は接地レベルを示す。
【００１５】
すなわち、この振動パターン生成回路１３は、シーケンサ１１からバイブレータ駆動データＳＬＯＷが出力されると、ＦＥＴ１５およびＦＥＴ１８にハイレベルの駆動信号Ａ、Ｇを出力し、ＦＥＴ１６、ＦＥＴ１７へは接地レベルの駆動信号Ｂ、Ｃを出力する。これにより、ＦＥＴ１５、１８がオン、ＦＥＴ１６、１７がオフとなり、トランジスタ２０のベース電流が、ＦＥＴ１５およびＦＥＴ１８を通して流れる。そして、このベース電流に比例するコレクタ電流によってバイブレータ２１が駆動されることから、バイブレータ２１がゆっくり回転し、低速振動が発生する。
【００１６】
また、振動パターン生成回路１３は、シーケンサ１１からバイブレータ駆動データＭＩＤが出力されると、ＦＥＴ１６、１７、１８にハイレベルの駆動信号Ｂ、Ｃ、Ｇを出力し、ＦＥＴ１５へは接地レベルの駆動信号Ａを出力する。これにより、ＦＥＴ１６、１７、１８がオン、ＦＥＴ１５がオフとなり、トランジスタ２０のベース電流が、ＦＥＴ１６および１７の並列接続回路を通して流れ、ＦＥＴ１個の場合より増加する。そして、このベース電流に比例するコレクタ電流によってバイブレータ２１が駆動されることから、バイブレータ２１に駆動データＳＬＯＷの場合より大きな電流が流れ、バイブレータ２１が中速回転し、中速振動が発生する。
【００１７】
同様に、振動パターン生成回路１３は、シーケンサ１１からバイブレータ駆動データＦＡＳＴが出力されると、ＦＥＴ１５、１６、１７、１８にハイレベルの駆動信号Ａ、Ｂ、Ｃ、Ｇを出力する。これにより、ＦＥＴ１５、１６、１７、１８が全てオンとなり、トランジスタ２０のベース電流が、ＦＥＴ１５、１６、１７の並列接続回路を通して流れる。そして、このベース電流に比例するコレクタ電流によってバイブレータ２１が駆動されることから、バイブレータ２１に大きな電流が流れ、バイブレータ２１が高速回転し、高速振動が発生する。
【００１８】
また、振動パターン生成回路１３は、シーケンサ１１からバイブレータ駆動データＯＦＦが出力されると、ＦＥＴ１５、１６、１７、１８に接地レベルの駆動信号Ａ、Ｂ、Ｃ、Ｇを出力する。これにより、ＦＥＴ１５、１６、１７、１８が全てオフとなり、トランジスタ２０がカットオフし、バイブレータ２１が停止する。
【００１９】
図３に上述したバイブレータ駆動データＳＬＯＷ、ＭＩＤ、ＦＡＳＴ、ＯＦＦと駆動信号Ａ、Ｂ、Ｃの関係を示す。
このように、上記実施形態によれば、楽音データ中にバイブレータ駆動データを適宜挿入することにより、バイブレータ２１を３種類の速度で駆動することができる。この場合、バイブレータ駆動データの設定方法として例えば次のような方法が考えられる。
【００２０】
（ａ）楽音データの音程に合わせて設定する。すなわち、楽音データの音程が高くなるに従って、バイブレータ２１の回転速度が高くなるように設定する。
（ｂ）楽音データのリズムに合わせて設定する。すなわち、楽音データにリズム音データが含まれている場合、そのリズム音データに合わせてバイブレータ駆動データを設定する。
（ｃ）楽音データの音量に合わせて設定する。例えば、音量が大きくなるに従いバイブレータの回転が早くなるように設定する。
なお、上記実施形態は、バイブレータ２１の回転速度を３種類に変化させるようになっているが、バイブレータ駆動データの種類を増やし、さらに複雑に変化させてもよい。
【００２１】
【発明の効果】
以上説明したように、この発明によれば、楽音データに基づいて音源駆動データを生成し音源へ出力すると共に、前記楽音データに挿入されたバイブレータ駆動データを出力するシーケンサと、前記シーケンサから出力されたバイブレータ駆動データに対応する駆動信号を生成して出力する駆動信号生成手段と、前記駆動信号生成手段の出力に基づいてバイブレータの電流を制御する電流制御回路とを有しているので、バイブレータを音楽に合わせて種々変化に富んだ態様で駆動することができ、これにより、利用者が従来のものよりさらに振動変化を楽しむことができる。
【図面の簡単な説明】
【図１】この発明の一実施形態によるバイブレータ鼓動回路を適用した携帯電話機の構成を示すブロック図である。
【図２】同実施形態において用いられる楽音データを示す図である。
【図３】同実施形態の動作を説明するための波形図である。
【符号の説明】
１…ＣＰＵ、２…ＲＯＭ、３…ＲＡＭ、４…操作部、５…表示部、６…通信部、８…音声処理部、１１…シーケンサ、１２…音源、１３…振動パターン生成回路、１５〜１８…ＦＥＴ、２０…トランジスタ、２１…バイブレータ。
【図１】
2004267936.tif 000004
【図２】
2004267936.tif 000005
【図３】
2004267936.tif 000006